(57)【要約】      （修正有）【課題】商品陳列用のひな壇を形成するために用いられる、滑り止めシートの使用を必要としない補助具及びひな壇を備える商品陳列台を提供する。【解決手段】商品陳列台１０は傾斜面１６と、傾斜面に設けられた鉤形の横断面形状を有する互いに平行な複数の溝１８とを備える。補助具１４は、本体２０と、本体を商品陳列台の傾斜面上に支持する２つの脚部２２，２４とを備える。本体は、２つの脚部の一方から他方へ向けて波状に起伏して連なる面からなる商品載置面２６を有し、２つの脚部はそれぞれ２つのフック状の先端部分を有する。両先端部分の内の一方の先端部分は商品陳列台の溝１８の１つに受け入れられ、溝の鉤形の内壁に解除可能に係止し、他の一方の先端部分は商品陳列台の傾斜面１８に接する。【選択図】図１
0003192140.tif 000002
【実用新案登録請求の範囲】
【請求項１】
傾斜面と、該傾斜面に設けられた鉤形の横断面形状を有する互いに平行な複数の溝とを備える商品陳列台の前記傾斜面上に載置されひな壇を形成するための補助具であって、
本体と、該本体を前記商品陳列台の傾斜面上に支持する２つの脚部とを備え、
前記本体は、前記２つの脚部の一方から他方へ向けて波状に起伏して連なる面からなる商品載置面を有し、
前記２つの脚部はそれぞれ２つのフック状の先端部分であって、両先端部分の内の一方の先端部分が前記商品陳列台の溝の１つに受け入れられ該溝の内壁に解除可能に係止し、また、他の一方の先端部分が前記商品陳列台の傾斜面に接する２つの先端部分を有する、補助具。
【請求項２】
前記本体及び両脚部は、前記商品陳列台の溝の伸長方向に関して互いに間隔をおいて設けられた、仕切板を通すための複数のスリットを有する、請求項１に記載の補助具。
【請求項３】
さらに、両脚部間に位置する、前記スリットに通された仕切板のための支持部を備え、
前記支持部は前記複数のスリットにそれぞれ対応する、複数の前記仕切板の受け入れ溝を有し、
各受け入れ溝は各スリットに向けて段階的に増大する幅寸法を有する、請求項２に記載の補助具。
【請求項４】
前記本体及び両脚部は板状体からなる、請求項１〜３のいずれか１項に記載の補助具。
【請求項５】
前記仕切り板の支持部は板状体からなる、請求項３に記載の補助具。
【請求項６】
前記仕切板の支持部は前記本体と一体に形成されている、請求項３又は５に記載の補助具。
【請求項７】
前記仕切板の支持部は前記本体に解除可能に取り付けられた別部材からなる、請求項３又は５に記載の補助具。
【請求項８】
傾斜面及び該傾斜面に設けられた互いに平行な複数の溝であって鉤形の横断面形状を有する複数の溝を備え、また、少なくとも１つの補助具により前記傾斜面上に形成された商品陳列用のひな壇を有する商品陳列台であって、
前記補助具は、本体と、該本体を前記商品陳列台の傾斜面上に支持する２つの脚部とを備え、
前記本体は、前記２つの脚部の一方から他方へ向けて波状に起伏して連なる面からなる商品載置面を有し、
前記２つの脚部はそれぞれ２つのフック状の先端部分であって、両先端部分の内の一方の先端部分が前記商品陳列台の溝の１つに受け入れられ該溝の内壁に解除可能に係止し、また、他の一方の先端部分が前記商品陳列台の傾斜面に接する２つの先端部分を有する、商品陳列台。
【考案の詳細な説明】
【技術分野】
【０００１】
本考案は、スーパーマーケットのような店舗に設けられる商品陳列台にひな壇を形成するための補助具並びに当該ひな壇を有する商品陳列台に関する。
【背景技術】
【０００２】
従来、店舗で販売される商品を陳列するために商品陳列台の傾斜面上に取り付けられ、該傾斜面上に商品陳列用のひな壇を形成するための補助具が提案されている（後記特許文献１参照）。
【０００３】
この補助具は山形に連なる２つの平坦面を有する本体と、該本体から突出する２つの突起とを備える。前記補助具は、その両突起をそれぞれ前記商品陳列台の傾斜面に設けられた互いに平行な複数の溝の内の２つの溝に差し込むことにより、前記商品陳列台の傾斜面に取り付けられ、その本体が前記商品陳列台の傾斜面上にひな壇を形成する。より詳細には、前記本体の２つの平坦面が前記商品陳列台の傾斜面上に連なり、該傾斜面上に突出する山形のひな壇を規定し、両平坦面のいずれか一方が商品載置面をなす。
【０００４】
ところで、前記平坦面からなる商品載置面は、これが傾斜状態に置かれるときは、この上に置かれる商品の滑り落ちを招く。このため、通常、前記商品載置面上に、商品の滑り落ちを防止するための滑り止めシートが敷かれる。また、前記商品陳列台の傾斜面上への前記補助具の取り付けは前記２つの溝への前記２つの突起の差し込みによりなされるところ、前記２つの突起は前記補助具への外力の作用によって前記溝から抜け出す可能性があり、これによって前記商品陳列台に対する取り付け状態が解除され、このために前記ひな壇が崩壊し、商品が散乱するおそれがある。
【先行技術文献】
【特許文献】
【０００５】
【特許文献１】特開２００６−１５０４３号公報
【考案の概要】
【考案が解決しようとする課題】
【０００６】
したがって、本考案の目的は、商品陳列用のひな壇を形成するために用いられる、滑り止めシートの使用を必要としない補助具及び前記ひな壇を備える商品陳列台を提供することにある。また、本考案の他の目的は、外力の作用によって崩壊しにくいひな壇を形成するための補助具及び前記ひな壇を備える商品陳列台を提供することにある。
【課題を解決するための手段】
【０００７】
本考案は、傾斜面と、該傾斜面に設けられ鉤形の横断面形状を有する互いに平行な複数の溝とを備える商品陳列台の前記傾斜面上に載置され、ひな壇を形成する補助具を提供する。
【０００８】
前記補助具は、本体と、該本体を前記商品陳列台の傾斜面上に該傾斜面からその上方に間隔をおいて支持する２つの脚部とを備える。前記本体は、前記２つの脚部の一方から他方へ向けて波状に起伏して連なる面からなる商品載置面を有する。また、前記２つの脚部は共にフック状の先端部分を有し、両先端部分の内の一方の先端部分は前記商品陳列台の溝の１つに受け入れられ該溝の内壁に解除可能に係止し、また、他の一方の先端部分は前記商品陳列台の傾斜面に接する。
【０００９】
本考案によれば、前記補助具はその２つの脚部を介して前記傾斜面上に取り付けられ、その本体が前記商品陳列台の傾斜面の上方空間にひな壇を形成する。本考案にあっては、前記本体が前記上方空間に規定する商品載置面が前記２つの脚部の一方から他方へ向けて波状に起伏して連なる面からなり、商品は前記商品載置面における凹面部、すなわち波の山と山との間の谷に相当する箇所に置かれる。このことから、商品は前記商品載置面に該商品載置面上を滑り落ちあるいは転がり落ちないように保持され、陳列に供される。したがって、また、前記補助具の使用に当たり、その商品載置面からの商品の滑り落ちを防止するための滑り止めシートの使用を不要とすることができる。
【００１０】
また、本考案によれば、前記補助具は、前記２つの脚部の２つのフック状の先端部分の内の一方を前記商品陳列台の溝に挿し入れて該溝の内壁に係止させ、また、他方の先端部分を前記傾斜面上に載置することにより、前記商品陳列台の傾斜面上に取り付けられる。ここにおいて、前記一方の先端部分の前記溝の内壁への係止は、前記補助具が外力の作用を受ける場合における前記商品陳列台からの前記補助具の外れを抑制することに寄与し、これにより、前記補助具が形成する前記ひな壇の崩壊及びこれに伴う商品の散乱が防止される。さらに、両先端部分の一方のみの前記溝の内壁への係止及びその解除は、前記補助具の前記商品陳列台への取り付け及び取り外しを容易にする。
【００１１】
本考案にあっては、さらに、前記補助具の本体及び両脚部が、前記補助具が前記商品陳列台の傾斜面上に載置された状態で見て、前記商品陳列台の溝の伸長方向へ互いに間隔をおいて設けられた、仕切板を通すための複数のスリットを有するものとすることができる。これによれば、前記仕切板により、前記本体の商品陳列面を複数に分割することができる。
【００１２】
前記補助具は、さらに、両脚部間に位置する、前記スリットに通された仕切板のための支持部を備えるものとすることができる。ここにおいて、前記支持部は前記複数のスリットにそれぞれ対応する複数の前記仕切板の受け入れ溝を有し、各受け入れ溝は各スリットに向けて段階的に増大する幅寸法を有する。これによれば、前記受け入れ溝の段階的に増大する幅寸法にそれぞれ対応する厚さ寸法を有する仕切板の選択、使用が可能である。
【００１３】
前記補助具は板状体からなるものとすることができる。また、前記仕切板の支持部は前記本体と一体に形成されてなるもの、あるいは、前記本体に解除可能に取り付けられた別部材からなるものとすることができる。
【００１４】
本考案に係る商品陳列台は、その傾斜面上に、前記した補助具により形成された前記ひな壇を備える。
【図面の簡単な説明】
【００１５】
【図１】商品陳列台と該商品陳列台の傾斜面上に一方向に向けて配置された補助具とを示す斜視図である。
【図２】商品陳列台と該商品陳列台の傾斜面上に反対方向に向けて配置された補助具とを示す斜視図である。
【図３】商品陳列台の傾斜面上に一方向に向けて配置された補助具の側面図である。
【図４】商品陳列台の傾斜面上に反対方向に向けて配置された補助具の側面図である。
【図５】図１及び図２に示す補助具の斜視図である。
【図６】図５に示す補助具の他の方向から見た斜視図である。
【図７】図５に示す補助具をその底部側から見た斜視図である。
【図８】商品陳列台と、その傾斜面上に配置された補助具と、仕切板とを示す斜視図である。
【図９】商品陳列台、その傾斜面上に配置された補助具及び仕切板をこれらの下方から見た斜視図である。
【考案を実施するための形態】
【００１６】
図１及び図２を参照すると、本考案の一例に係る商品陳列台が全体に符号１０で示されている。商品陳列台１０は、１又は複数（図示の例では３つ）の補助具１４の使用により、その傾斜面１６上に形成された商品陳列用のひな壇１２を有する。
【００１７】
図示の商品陳列台１０は全体に矩形の平面形状を有する一様な厚さの板状体からなり、適当な支持手段（図示せず）を介して、その平坦な表裏両面が傾斜した状態におかれている。商品陳列台１０は、前記支持手段により傾斜した状態におかれた表面、すなわち傾斜面１６と、該傾斜面に開放する、互いに平行な複数の溝１８とを有する。複数の溝１８は商品陳列台１０の傾斜方向ｌに互いに間隔を置いて、好ましくは等間隔をおいて配置されている。
【００１８】
商品陳列台１０の溝１８は鉤形の横断面形状を有する。図３及び図４に示す例にあっては、溝１８はその横断面で見てＬ形を呈する。すなわち、溝１８は、商品陳列台１０の傾斜面１６からその裏面に向けて伸び、次いで直角に折れ曲がり、商品陳列台１８の傾斜方向ｌにおける上方へ向けて伸びている。溝１８は、図示の例のほか、例えばＪ形の横断面形状を有するものとすることができる。
【００１９】
補助具１４は商品陳列台１０の傾斜面１６上に載置され、商品陳列台１０の傾斜面１６からその上方に間隔をおいた空間（上方空間）に、商品１９（図１及び図２参照）が載置、陳列されるひな壇１２を形成する。図１及び図２に示す例にあっては、３つの補助具１４が、商品陳列台の１０の傾斜面１６上にその傾斜方向ｌへ互いに等間隔をおいて配置されている。３つの補助具１４は、図示の例に代えて、不等間隔をおいて配置することができる（図示せず）。
【００２０】
補助具１４は、陳列される商品１９の種類、大きさ、形状等を考慮して定められる任意の大きさを有するものとすることができる。また、補助具１４はその大きさに応じた数量をもって、また、種々の態様で商品陳列台１０の傾斜面１６上に配置することができる。
【００２１】
補助具１４は、その一例を図５、図６及び図７に示すように、全体に板状を呈し、本体２０及びこれに連なる２つの脚部２２、２４を備える。
【００２２】
本体２０は、両脚部２２、２４により、商品陳列台１０の傾斜面１６の前記上方空間に支持される（図１〜図４参照）。図示の例にあっては、一方の脚部２２が他方の脚部２４より大きい高さ寸法を有する。このため、本体２０が一方の脚部２２から他方の脚部２４に向けて下向きに傾斜している。両脚部２２、２４の高さ寸法、したがって本体２０の傾斜の程度は、商品１９の陳列効果を考慮して任意に定めることができる。前記した例に代えて、両脚部２２，２４が同じ高さ寸法を有するものとすることもできる。
【００２３】
補助具１４の本体２０は、商品１９が載置される商品載置面２６を有する。商品載置面２６は、２つの脚部２２、２４の一方から他方へ向けて波状に起伏して連なる面からなる。したがって、商品載置面２６は互い違いに連続する２つの凹面部（波の谷に相当）２８及び凸面部（波の山に相当）３０を有し、これらの面部分２８，３０は商品陳列台１０の溝１８と平行に伸びている。互いに隣接する２つの凸面部３０間の凹面部２８は、商品載置面２６上に載置される商品１９が商品載置面２６上を滑り落ちないように、また、転がり落ちないように保持する。
【００２４】
凹面部２８の数量及び凸面部３０の数量は、これらを２つ及び３つとする図示の例に代えて、１つ及び２つとし、あるいは３つ以上及び４つ以上とすることができる。凹面部２８及び凸面部３０の数量を２つ以上及び３つ以上とするときは、商品載置面２６を凹面部２８及び凸面部３０が規定するひな壇からなるものとすることができる。また、凸面部３０相互間又は凸面部３０相互間の間隔の大きさは任意に定めることができる。さらに、凹面部２８及び凸面部３０について、これらが湾曲した形状を有する図示の例に代えて、角形の形状を有するものとすることができる。前記湾曲の程度及び前記角形における開き角度は、商品の種類、陳列効果等を考慮して任意に定めることができる。
【００２５】
補助具１４は、図１及び図３に示すように、高さの大きい脚部２２及び高さの小さい脚部２４がそれぞれ傾斜面１６の傾斜方向ｌにおける上方及び下方に位置するように傾斜面１６上に配置し、あるいは、図２及び図４に示すように、高さの大きい脚部２２及び高さの小さい脚部２４がそれぞれ傾斜面１６の傾斜方向ｌにおける下方及び上方に位置するように傾斜面１６上に反対に配置することができる。これによれば、図１、３に示す例においては傾斜面１６よりも急勾配の商品陳列面２６が形成され、また、図２、４に示す例においては傾斜面１６と反対に傾斜する商品陳列面２６が形成される。
【００２６】
補助具１４は、さらに、その両脚部２２、２４の自由端部分を構成するフック状の先端部分２２ａ、２４ａを有する（図３及び図４参照）。両先端部分２２ａ、２４ａは互いに反対方向へ向けて伸びかつ湾曲している。各先端部分２２ａ、２４ａは、商品陳列台１０の鉤形の溝１８に受け入れられ、溝１８の内壁１８ａに対して係止可能である。
【００２７】
補助具１４は、商品陳列台１０の傾斜面１６上に次のようにして取り付けることができる。まず、補助具１４を傾けて、その両脚部２２，２４の先端部分２２ａ、２４ａの一方（図１、３の例において先端部分２２ａ、図２、４の例において先端部分２４ａ）が溝１８を向き、また、他の一方（図１、３の例において先端部分２４ａ、図２、４の例において先端部分２２ａ）が傾斜面１６から離れる状態にする。
【００２８】
次に、前記一方の先端部分を溝１８内に進め、次いで前記他方の先端部分が傾斜面１６に近づくように補助具１４の傾きを直す。これにより、前記一方の先端部分が溝１８の内壁１８ａに係止する。また、前記他の一方の先端部分は、溝１８内に受け入れられることなく傾斜面１６上に載る。これは、両脚部２２、２４間の相互間隔又は両先端部分２２ａ、２４ａ間の相互間隔が、任意の２つの溝１８の相互間隔より大きいものに設定され（図示の例）、あるいは、小さいものに設定されている（図示せず）ことによる。
【００２９】
前記一方の先端部分が溝１８に受け入れられかつ該溝の内壁１８ａに係止することにより、補助具１４は傾斜面１６上を滑り落ちないように商品陳列台１０に取り付けられる。これによれば、補助具１４は、例えばこれに購買客の手が当たる等の外力の作用を受けたときにあっても、商品陳列台１０から簡単には分離しない。その結果、前記ひな壇１２の形成状態が維持され、ひな壇１２の商品載置面２６上の商品１９が散乱する事態の発生が防止される。
【００３０】
補助具１４は、商品陳列台１０への取り付け時の前記した操作と逆の操作を行うことにより、商品陳列台１０から取り外すことができる。すなわち、前記他方の先端部分が傾斜面１６から離れるように補助具１４を傾けつつ該補助具を前記一方の先端部分が溝１８内から抜け出る方向へ移動させる。これにより、前記一方の先端部分と溝１８の内壁１８ａとの係止を解き、前記一方の先端部分を溝１８外に引き出すことができる。
【００３１】
図８及び図９に示すように、補助具１４は、さらに、厚さ寸法の異なる仕切板３２、３４、３６のいずれをも通すことが可能である幅寸法を有する複数のスリット３８を有するものとすることができる。ここにおいて、仕切板３２、仕切板３４及び仕切板３６は、それぞれ、小、中及び大の厚さ寸法を有する。また、図示の例において、各スリット３８の幅寸法は、仕切板３６の厚さ寸法より大きい。
【００３２】
複数のスリット３８は、補助具１４が商品陳列台１０の傾斜面１６上に載置されている図１又は図２に示す状態で見て、商品載置面２６の凹面部２８及び凹面部３０の伸長方向（商品陳列台１０の溝１８の伸長方向）へ互いに等間隔をおいて配置されている。任意のスリット３８に通された任意の仕切板３２，３４，３６は、補助具１４の商品載置面２６をその凹面部２８及び凸面部３０の伸長方向に関して複数の領域に区画、分離する。厚さ寸法の異なる仕切板３２、３４、３６は、陳列される商品１９の大きさ、種類等に合わせて選択使用することができる。前記仕切板を通すための複数のスリット３８は、図示の例に代えて、互いに異なる間隔をおいて配置することができる。また、各スリット３８は、先端部分２２ａ、２２ｂを除いて、補助具１４の一方の脚部２２から本体２０を経て他方の脚部２４へと伸びている。
【００３３】
図示の補助具１４は、さらに、その両脚部２２，２４間に支持部４０を有する。支持部４０は、複数のスリット３８にそれぞれ対応して設けられ前記仕切板の一部（下端部）を受け入れ可能である複数の受け入れ溝４４を有する。
【００３４】
図示の支持部４０は補助具１４の本体２０と一体をなす矩形状の板体からなり、該板体は、本体２０の商品載置面２６に相対する裏面４２（図３又は図４参照）から一方の脚部２２に近接してこれとほぼ平行に伸び、脚部２２の先端部分２２ａの近傍で終わる自由端４０Ａを有する（図３参照）。なお、図示の例では、支持部４０の高さ（本体２０の裏面４２から自由端４０Ａまでの長さ）が、補助具１４が図３に示す態様で用いられる場合においては商品陳列台１０の傾斜面１６に接し、他方、図４に示す態様で用いられる場合においては商品陳列台１０の傾斜面１６に接しない大きさに設定されている。
【００３５】
各受け入れ溝４４は、各スリット３８に向けて段階的に漸増する幅寸法を有する。より詳細には、各受け入れ溝４４は、互いに連なる３つの溝部４４ａ、４４ｂ、４４ｃからなる（図７参照）。３つの溝部４４ａ、４４ｂ、４４ｃはそれぞれ３つの異なる幅寸法であって３つの仕切板３２、３４、３６の厚さ寸法よりわずかに大きい３つの異なる幅寸法を有し、スリット３８に通された任意の仕切板３２、３４、３６の下端部をこれががたつかないように受け入れかつ支持する。
【００３６】
図示の例にあっては、最も小さい幅寸法を有する溝部４４ａが支持部４０の自由端４０Ａに最も近接し、最も大きい幅寸法を有する溝部４４ｃがスリット３８に連なっている。ただし、溝部４４ｃの幅寸法はスリット３８の幅寸法より小さい。また、これらの中間の幅寸法を有する溝部４４ｂは、両溝部４４ａ、４４ｃ間にあってこれらの両溝部に連なっている。
【００３７】
したがって、最も小さい厚さ寸法を有する仕切板３２の下端部が最も小さい幅寸法を有する溝部４４ａに受け入れられるとき、仕切板３２と商品陳列台１０傾斜面１６との間に最も小さい大きさの隙間が生じ、反対に、最も厚い仕切板３６の下端部が溝部４４ｃに受け入れられるときは、仕切板３６と商品陳列台１０傾斜面１６との間に最も大きい大きさの隙間が生じる。また、中間の厚さの仕切板３４の下端部が溝部４４ｂに受け入れられるときは、仕切板３４と商品陳列台１０の傾斜面１６との間に前記最小及び最大の大きさの中間の大きさの隙間が生じる。
【００３８】
本体２０と一体をなす支持部４０を有する補助具１４は、例えば、プラスチック材料を用いた一体成型により得ることができる。また、この例に代えて、支持部４０が本体２０に対して解除可能に取り付けられた別部材からなるもの（図示せず）とすることができる。前記別部材からなる支持部は、例えば、該支持部及び本体２０のいずれか一方に複数のダボ穴（図示せず）を設けかつ他方に前記ダボ穴に解除可能に嵌合する複数のダボ（図示せず）を設け、前記ダボ穴に前記ダボを嵌合させることにより、本体２０に固定し、本体２０との一体化を図ることができる。
【符号の説明】
【００３９】
１０  商品陳列台
１２  商品陳列用のひな壇
１４  補助具
１６  商品陳列台の傾斜面
１８  商品陳列台の溝
２０  補助具の本体
２２，２４  補助具の脚部
２２ａ、２４ａ  脚部の先端部分
２６  商品陳列面
２８，３０  商品陳列面の凹面部及び凸面部
３２，３４，３６  仕切板
３８  スリット
４０  支持部
【図１】
0003192140.tif 000003
【図２】
0003192140.tif 000004
【図３】
0003192140.tif 000005
【図４】
0003192140.tif 000006
【図５】
0003192140.tif 000007
【図６】
0003192140.tif 000008
【図７】
0003192140.tif 000009
【図８】
0003192140.tif 000010
【図９】
0003192140.tif 000011